(57)【要約】      （修正有）【課題】トイレ用、キッチン用、ダイニング用等とする、ロールペーパーホルダー又はキッチンタオル用の切り取った後のロールペーパー端を容易に掴み引き出せて、引き出したロールペーパーを片手で下方へ引いて簡単に切り取れるようにする。【解決手段】ロールペーパーホルダー上カバー６とその真下のロールペーパー端２と、ロールペーパー本体４外周上面との間に、ロールペーパーの本体外周上面に接してロールペーパーの使用に従い自在に下降する、上向きギザギザ刃、又はギザギザ刃を設けない平らな上端面１を形成するロールペーパー切り取り部１０を、ロールペーパー切り取り部１０の支持手７を設けてロールペーパー横幅方向に介在させ、ロールペーパーホルダー１１内後部中央近辺にロールペーパー外周面後面上部を軽く押さえる、ロールペーパー端ずり落ち防止片８を設けて構成するトイレ用及びキッチン用、ダイニング用等のロールペーパーホルダー。【選択図】図１
2005218848.tif 000002
【特許請求の範囲】
【請求項１】
ロールペーパー端を引き出し切るとき、ロールペーパーホルダー上カバーは常にロールペーパー端の上面に接しロールペーパー端に従い自在に上下に回動し、前記ロールペーパーホルダーの上カバーとその真下のロールペーパー端とロールペーパー本体外周面の上部又は若干外周面前方上部との間に、上端に上向きギザギザ刃を設けて構成されたロールペーパー切り取り部を、ロールペーパー外周面に接して横幅方向に介在させ、前記ロールペーパー切り取り部の両側に、ロールペーパーの使用に従いロールペーパー切り取り部が自在に下降する支持手を設けていることを特徴とする、トイレ用及びキッチン用、ダイニング用等のロールペーパーホルダー。
【請求項２】
前記ロールペーパー切り取り部が、薄板部材をおおよそ９０°に曲げ一方の上端に上向きギザギザ刃を設け、他方のロールペーパー外周面に接し底面となる方に、ロールペーパー外周方向の長さを１．０ｃｍ〜２．５ｃｍ前後に設た物であって，該ロールペーパー切り取り部の両側に前記支持手を設けていることを特徴とする、請求項１記載のトイレ用及びキッチン用、ダイニング用等のロールペーパーホルダー。
【請求項３】
前記のロールペーパー切り取り部が、０．５ｃｍ〜２．５ｃｍ前後の高さを持ち薄く形成された上端に上向きギザギザ刃を設け他方のロールペーパーの外周面に接し底面となる方に、ロールペーパーの外周方向の厚さ又は長さが０．５ｃｍ〜２．５ｃｍ前後を有する物であって、該ロールペーパー切り取り部の両側に、前記支持手を設けていることを特徴とする、請求項１記載のトイレ用及びキッチン用、ダイニング用等のロールペーパーホルダー。
【請求項４】
前記の、各ロールペーパー切り取り部の上端が、ギザギザ刃を設けない平坦な上端面である請求項１乃至．３記載のトイレ用及びキッチン用、ダイニング用等のロールペーパーホルダ
【請求項５】
前記ロールペーパーの各切り取り部の底面が、ロールペーパー本体外周面に沿った曲面を有していることを特徴とする、請求項１乃至４記載のトイレ用及びキッチン用、ダイニング用等のロールペーパーホルダー。
【請求項６】
ロールペーパー切り取り部の両側支持手を、ロールペーパーホルダー上カバーの回動支持部と同一箇所、又はその近辺まで延長して上下に回動自在に取り付けたことを特徴とする、請求項１乃至５記載のトイレ用及びキッチン用、ダイニング用等のロールペーパーホルダー。
【請求項７】
前記の各ロールペーパー切り取り部の両側支持手を、ロールペーパー軸心受けの両方の近辺に、前記ロールペーパー切り取り部が自在に上下するように垂直に設けていることを特徴とする、請求項１乃至６記載のトイレ用及びキッチン用．ダイニング用等のロールペーパーホルダー。
【請求項８】
ロールペーパーホルダー内部の後部中央近辺に、ロールペーパー外周面後部の上面を押さえる、ロールペーパー端ずり落ち防止辺を、スプリング性のある柔軟部材を用いて設けていることを特徴とする、請求項１乃至．７記載のトイレ用及びキッチン用、ダイニング用等のロールペーパーホルダー。
【請求項９】
ロールペーパーホルダー上カバーの前端部が、前記の各ロールペーパー切り取り部上端を被うように若干前方に有って下方へ若干屈曲又は湾曲した、請求項１乃至８記載のトイレ用及びキッチン用、ダイニング用等のロールペーパーホルダー。
【請求項１０】
前記ロールペーパーホルダーが、横幅を広く構成したキッチンタオル用である、請求項１乃至９記載のトイレ用及びキッチン用、ダイニング用等のロールペーパーホルダー。
【発明の詳細な説明】
【技術分野】
【０００１】この発明はトイレ用、キッチンやダイニング等で使う、ロールペーパーホルダーに関するものである。
【背景技術】
【０００２】現在、トイレのロールペーパーホルダーは全ての製品において、ホルダーの上カバーを押さえロールペーパーを上向きに引き上げて上カバー先端部で切り取る構造で、ロールペーパーの先端部がカバー内に隠れ、又ペーパーの先端がロールペーパーに密着してペーパーを掴み引き出しにくく、又切れ目のあるロールペーパーでも上カバーを少し押さえないと片手では切り取れない。
上記のように、ペーパーを切り取るには両手が必要で片手で切ることはできない。
【発明の開示】
【発明が解決しようとする課題】
【０００３】ロールペーパーを切るとき片手だけでは切り取れないこと、切った後のペーパー端がロールペーパー本体に密着してペーパーの先端を掴んでペーパーを引き出しにくいこと、この２つの不便を解消すると共に、切れ目の付いたロールペーパーでも下方に引いてワンハンドで切り取れるようにするものである。
【課題を解決するための手段】
【０００４】ロールペーパー上カバーの前端部が、ロールペーパー切り取り部の上端を被うように若干前方に有って、下方へ若干屈曲し又は湾曲していて、ロールペーパーを引き出し切り取る時、前記上カバーは常にロールペーパー端部の上面に接してロールペーパー端部に従い上下に自在に回動し、該ロールペーパーホルダー上カバーとその真下のロールペーパー端と、ロールペーパー本体外周面上部、又はロールペーパー本体外周面やや前方上部との間に、上端に上向きギザギザ刃を設け、又は前記上向きギザギザ刃を有しない上端面で構成されたロールペーパー切り取り部を、ロールペーパーの外周面に接して横幅方向に介在させ、前記ロールペーパー切り取り部の下部の両側に、ロールペーパーの使用に従いロールペーパー切り取り部が自在に下降する支持手を、ロールペーパーの軸心受けの両方の近辺に垂直に設け、又は前記支持手を、ロールペーパーホルダー上カバーの回動支持部と同一箇所又はその近辺まで延長しロールペーパー端を円滑に引き出せる間隔を有して上下に回動自在に設け、ロールペーパーホルダー内後部にロールペーパー外周面の後部上面を押さえるロールペーパー端ずり落ち防止片をスプリング性のある柔軟な部材を用いて設ける。又、ロールペーパーホルダーの横幅を広く構成してキッチンタオル用に利用できるようにする。
【発明の効果】
【０００５】ロールペーパーを引出す時は上カバーの前端を指先で上げ、ロールペーパー切り取り部のロールペーパー端を容易に掴んで引き出せる。
ロールペーパーを切るときは、ペーパー端を引き出しギザギザ刃に当てると、上カバーもペーパー端に接しながらギザギザ刃上に自然に下降してくるので指がギザギザ刃に触れることなく安全に容易にワンハンドで切り取ることができ、片方の手の不自由な人にはいっそう便利である。
本、ロールペーパーはトイレ用に用いる他、キッチンやダイニングに置いてこぼしたご飯粒を拾ったり、食事中や食後の口拭きにも使え便利である。
又、ロールペーパーホルダーの横幅を広く構成するとキッチンタオル用ホルダーとしても利用できる
【発明を実施するための最良の形態】
【０００６】ロールペーパー切り取り部の第１の実施形態は、ロールペーパーの外周横幅に等しく又は若干広めの薄板部材をほぼ９０度に曲げ、一方の上端辺に上向きギザギザ刃１を設け、ギザギザ刃の底面５となる方を１．０ｃｍ〜２．５ｃｍ前後の長さに設けた１０と、第２の実施形態は前記横幅を有し０．５ｃｍ〜２．５ｃｍの高さを持ち薄く形成された上端に上向きギザギザ刃１ａを設け、底面の厚さ又は長さを０．５ｃｍ〜２．５ｃｍの形状に形成した１０ａと、ロールペーパー切り取り部の第３の実施形態は、前記各ロールペーパー切り取り部の上端にギザギザ刃を設けない平坦な上端面１ｂを形成した１０ｂで、切れ目の付いたロールペーパーに使用でき、ロールペーパーを片手で切り取れるようにした物である。
前記各ロールペーパー切り取り部１０．１０ａ．１０ｂ  を、上下に回動するロールペーパーホルダー１１の上カバー６の真下のロールペーパー端２と、ロールペーパー本体４の外周面上部、又はロールペーパー本体外周面のやや前方上部との間に、前記各ロールペーパー切り取り部１０．１０ａ．１０ｂをロールペーパー本体４の外周面に接して横幅方向に設け、前期各ロールペーパー切り取り部の両側に支持手７．７ａを設けて介在させる。  前記各ロールペーパー切り取り部の底面５．５ａ．５ｂはロールペーパーの外周曲面に沿った曲面を有して形成しても良い。
前記ロールペーパー切り取り部１０．１０ａ．１０ｂの支持手の第１の実施形態は、ロールペーパー切り取り部の両側支持手７を、ロールペーパー端２を円滑に引き出せる間隔を有してホルダー上カバー６の回動部９と同一箇所、又はその近辺まで延長して上下に回動自在に取り付け、前記ロールペーパー切り取り部の支持手の第２の実施形態例は、ロールペーパー切り取り部１０ａ．１０ｂの両側支持手７ａをロールペーパー切り取り部がロールペーパーの使用に従い自在に下降するように、ロールペーパーの軸心受け１５の両方の近辺に、中空支持部１７を設け前記支持手７ａを垂直に支持させる。
ロールペーパーホルダー１１の上カバー６の前端部３は前記の各ロールペーパー切り取り部１０．１０ａ．１０ｂを被うように若干前方に有って、若干下方へ屈曲し又は湾曲してペーパーを切る時、上カバーの前端部３は常に上向きギザギザ刃１を挟んでロールペーパー端２の上にあって、ロールペーパー１０を切る手を上向きギザギザ刃１から安全に保護する。ロールペーパーホルダー内側の後部中央部近辺にロールペーパー外周面後部の上面をスプリング性のある柔軟な部材を湾曲させ、ロールペーパー端２の後部を軽く押さえるロールペーパー端ずり落ち防止片８を設ける。
ロールペーパー本体４の軸心は、ロールペーパーホルダーの前方より取り付けるものとし、ロールペーパー切り取り部１０．１０ａ．１０ｂの底部５．５ａ．５ｂをロールペーパー本体４の上に乗せた状態でロールペーパーをホルダーにセットすると、ロールペーパー端ずり落ち防止片８はロールペーパーに押されて後方へ移動しロールペーパー外周面後部上面を軽く押さえる。
ロールペーパーを入れ替えるときロールペーパー端をロールペーパー切り取り部１０．１０ａ．１０ｂの上に持ってくるには、ホルダー内後部の空間１２のあるところまでロールペーパー端を回し持ってきて引き出し、使用時は、上カバー３の先端を指先で持ち上げペーパー端２を掴み必要量引き出し下方へ引き切る。
【産業上の利用可能性】
【０００７】従来、ロールペーパーホルダーは専らトイレ用に使用されているが、外観を良くすることで、上記したように、ワンハンドでロールペーパーを切り取れること、切り取ったロールペーパー端を容易に掴んで引き出せること、少量のこぼし物をロールペーパーを必要量切り取って拭き取れるのでキッチンやダイニング等に置くと便利である。
ホルダーの幅を広く構成すると、キッチンタオルホルダーとしても利用できる。
【図面の簡単な説明】
【０００８】
【図１】ロールペーパーホルダーの１部切り欠き斜視図。
【図２】図１のロールペーパー切り取り部と支持手の他の実施形態。
【図３】上向きギザギザ刃を設けない平坦な上端面のロールペーパー切り取り部。
【図４】ロールペーパー端を掴むときの側面図。
【図５】ロールペーパー端を引き出す時の側面図。
【図６】ロールペーパーを引き切る時の側面図。
【符号の説明】
１．１ａ．１ｂ  上向きギザギザ刃とギザギザ刃を設けない平坦な上端面。
２．  ロールペーパー端。
３．  ロールペーパー上カバー前端部
４．  ロールペーパー本体
５．５ａ．５ｂ  ロールペーパー切り取り部底面
６．  ロールペーパー上カバー
７．７ａ．  ロールペーパー切り取り部の両側支持手
８．  ペーパー端ずり落ち防止片
９．  ロールペーパーホルダー上カバー及びロールペーパー切り取り部の両側支持手の回動軸穴
１０．１０ａ．１０ｂ  ロールペーパー切り取り部
１１．  ロールペーパーホルダー
１２．  ホルダーない後部空間
１３．  ロールペーパー端ずり落ち防止片取り付け部
１４．  中空支持体
１５．  ロールペーパー軸心受け
【図１】
2005218848.tif 000003
【図２】
2005218848.tif 000004
【図３】
2005218848.tif 000005
【図４】
2005218848.tif 000006
【図５】
2005218848.tif 000007
【図６】
2005218848.tif 000008